(57)【特許請求の範囲】
【請求項１】
商品陳列棚と、
該商品陳列棚に取り付けられた販売促進用の複数の販促表示物と、
前記商品陳列棚に、伸縮自在の支持フレームを介して取り付けられたソーラーパネルと、
該ソーラーパネルで発電した電力を前記複数の販促表示物に分配する分配手段と、
制御部とを備え、
前記分配手段によって分配された電力によって作動または発光する電気部が前記販促表示物に設けられ、
前記制御部によって前記電気部の作動または発光のパターンを制御することを特徴とする、商品陳列装置。
【請求項２】
前記ソーラーパネルの角度が自在に変更可能であることを特徴とする、請求項１に記載の商品陳列装置。
【請求項３】
商品陳列棚と、
該商品陳列棚に取り付けられた販売促進用の複数の販促表示物と、
前記商品陳列棚に取り付けられたソーラーパネルと、
該ソーラーパネルからの複数の系統の電力を前記複数の販促表示物の各々に分配する分配手段と、
制御部とを備え、
前記複数の販促表示物の各々は、前記複数の系統のそれぞれに接続する複数の電気部を備え、
前記制御部によって前記複数の電気部がそれぞれ所定の時間差をもって作動または発光するように制御されることを特徴とする、商品陳列装置。
【発明の詳細な説明】
【技術分野】
【０００１】
本発明は、移動自在な商品陳列棚と、商品陳列棚に取り付けられた販売促進用の複数の販促表示物を備える商品陳列装置に関する。
【背景技術】
【０００２】
従来の商品陳列装置は、商品陳列棚と、商品陳列棚に取り付けられた販売促進用の複数のＰＯＰ（Ｐｏｉｎｔ  Ｏｆ  Ｐｕｒｃｈａｓｅ  ａｄｖｅｒｔｉｓｉｎｇ：販促表示物）とを備えてなる。ＰＯＰには電球を備えてこれを発光させたり、モータを備えてＰＯＰをスイングさせたりして、商品に対する購買意欲をいっそう促進させている。電球やモータの電源は、内蔵された電池やバッテリーまたは店内に据付のコンセントから供給される。
【０００３】
近年、消費者の環境意識の向上から、ＰＯＰ向けの電源にソーラーパネルを備えることが提案されている（例えば、特許文献１）。このソーラーパネルは、それぞれのＰＯＰに備えられ、電球を発光させたり、モータを駆動させたりしていた。
【先行技術文献】
【特許文献】
【０００４】
【特許文献１】特開２００４−１３１６５号公報
【発明の概要】
【発明が解決しようとする課題】
【０００５】
しかし、このような商品陳列装置では、ＰＯＰにソーラーパネルを備えるので、ソーラーパネルを大きくすることができず、ＰＯＰに供給できる電力の発電量が小さい。このため、ＰＯＰに複数の電球を備えてこれらを発光させたり、ＰＯＰにモータを備えてＰＯＰをスイングさせたりすることができず、ＰＯＰの形態が限定されてしまうという問題があった。
【０００６】
そこでこの発明の目的は、多様な販促表示物の形態を実現可能とする商品陳列装置を提供することにある。
【課題を解決するための手段】
【０００７】
このため請求項１に記載の発明は、商品陳列棚と、
該商品陳列棚に取り付けられた販売促進用の複数の販促表示物と、
前記商品陳列棚に、伸縮自在の支持フレームを介して取り付けられたソーラーパネルと、
該ソーラーパネルで発電した電力を前記複数の販促表示物に分配する分配手段と、
制御部とを備え、
前記分配手段によって分配された電力によって作動または発光する電気部が前記販促表示物に設けられ、
前記制御部によって前記電気部の作動または発光のパターンを制御することを特徴とする。
【０００９】
請求項２に記載の発明は、請求項１に記載の商品陳列装置において、前記ソーラーパネルの角度が自在に変更可能であることを特徴とする。
【００１０】
請求項３に記載の発明は、商品陳列棚と、該商品陳列棚に取り付けられた販売促進用の複数の販促表示物と、前記商品陳列棚に取り付けられたソーラーパネルと、該ソーラーパネルからの複数の系統の電力を前記複数の販促表示物の各々に分配する分配手段と、制御部とを備え、前記複数の販促表示物の各々は、前記複数の系統のそれぞれに接続する複数の電気部を備え、前記制御部によって前記複数の電気部がそれぞれ所定の時間差をもって作動または発光するように制御されることを特徴とする。
【発明の効果】
【００１１】
請求項１に記載の発明によれば、商品陳列棚と、商品陳列棚に取り付けられた販売促進用の複数の販促表示物と、商品陳列棚に、伸縮自在の支持フレームを介して取り付けられたソーラーパネルと、ソーラーパネルで発電した電力を複数の販促表示物に分配する分配手段と、制御部とを備え、分配手段によって分配された電力によって作動または発光する電気部が販促表示物に設けられ、制御部によって電気部の作動または発光のパターンを制御する。よって、従来に比べて、大型のソーラーパネルを用いることができ、十分な電力を供給することができる。これにより、販促表示物に複数の電球（電気部）を備えてこれらを発光させたり、モータ（電気部）を備えてこれを作動させたりすることができる。したがって、多様な販促表示物の形態を実現可能とする商品陳列装置を提供することができる。また、販促表示物自体にバッテリーを備えていないので、バッテリーが発火する危険性がなく安全である。さらに、いっそう多様な販促表示物の形態を実現可能とする商品陳列装置を提供することができる。さらに、ソーラーパネルが伸縮自在の支持フレームを介して商品陳列棚に取り付けられているので、商品陳列装置を配置するスペースに自在に適用可能である。
【００１３】
請求項２に記載の発明によれば、ソーラーパネルの角度が自在に変更可能であるので、光源に対してソーラーパネルを最適な位置に傾けることができる。したがって、ソーラーパネルの発電能力を最大限に活用可能な商品陳列装置を提供することができる。
【００１４】
請求項３に記載の発明によれば、商品陳列棚と、商品陳列棚に取り付けられた販売促進用の複数の販促表示物と、商品陳列棚に取り付けられたソーラーパネルと、ソーラーパネルからの複数の系統の電力を複数の販促表示物の各々に分配する分配手段と、制御部とを備え、複数の販促表示物の各々は、複数の系統のそれぞれに接続する複数の電気部を備え、制御部によって複数の電気部がそれぞれ所定の時間差をもって作動または発光するように制御される。よって、従来に比べて、大型のソーラーパネルを用いることができ、十分な電力を供給することができる。これにより、販促表示物に複数の電球（電気部）を備えてこれらを発光させたり、モータ（電気部）を備えてこれを作動させたりすることができる。したがって、多様な販促表示物の形態を実現可能とする商品陳列装置を提供することができる。また、販促表示物自体にバッテリーを備えていないので、バッテリーが発火する危険性がなく安全である。さらに、分配器（分配手段）の下流側には必要な系統数の電流のみが流れるようにすることができる。
【図面の簡単な説明】
【００１５】
【図１】この発明の商品陳列装置の一例を示す斜視図である。
【図２】（ａ）〜（ｆ）は各種の販促表示物を示す図である。
【図３】商品陳列棚の正面図である。
【図４】（ａ）はソーラーパネルと支持フレームの拡大側面図、（ｂ）はソーラーパネルと支持フレームとの取り付けを説明するための図、（ｃ）〜（ｅ）は支持フレームの要部拡大図である。
【図５】（ａ）は支持フレームと商品陳列棚との取付部分近傍の背面図、（ｂ）は販促表示物と発光ダイオードとの取り付けを説明するための図である。
【図６】この発明の別の例を説明するためのブロック図である。
【発明を実施するための形態】
【００１６】
以下、図面を参照しつつ、本発明の実施の形態について説明する。図１には、この発明の商品陳列装置の一例を示す。商品陳列装置１は、下部にキャスター（車輪）１０の取り付けられた移動自在な商品陳列棚１１と、商品陳列棚１１に取り付けられた販売促進用の各種複数の販促表示物（ＰＯＰ）１２Ａ，１２Ｂ，１２Ｃ，１２Ｄ，１２Ｅ，１２Ｆとを備える（なお、商品陳列棚１１はキャスター１０を備えなくてもよい）。そして、商品陳列棚１１の上部には、伸縮自在の支持フレーム１４を介して取り付けられたソーラーパネル１３を備える。ソーラーパネル１３の両側には制御部ケース１５を備え、制御部ケース１５内には制御部を内蔵してなる。なお、この図では、商品陳列棚１１に各種の商品を陳列している。
【００１７】
図２（ａ）には販促表示物１２Ａを示す。販促表示物１２Ａは販売什器ＰＯＰと呼ばれ、商品陳列棚１１の上に載置されるものである。販促表示物１２Ａは、台座部１２Ａ１、側部１２Ａ２、背部１２Ａ３から構成される。台座部１２Ａ１には、商品ＰＡ１，ＰＡ２，ＰＡ３を載置するために、適宜、孔などが形成される。また、背部１２Ａ３の上部には、５つの孔が形成され、その各孔にそれぞれ発光ダイオード（電気部）２０が備えられる。図２（ｂ）には販促表示物１２Ｂを示す。販促表示物１２ＢはフェイスＰＯＰと呼ばれ、商品陳列棚１１の棚板の前面に取り付けられる。販促表示物１２Ｂは矩形に形成され、その左下隅には、孔が形成され、その孔にそれぞれ発光ダイオード２０が備えられる。
【００１８】
図２（ｃ）には販促表示物１２Ｃを示す。販促表示物１２ＣはサイドＰＯＰと呼ばれ、商品陳列棚１１の側部に取り付けられる。販促表示物１２Ｃは、水平部１２Ｃ１と、これに連続して直角に設けられる表示部１２Ｃ２とからなる。表示部１２Ｃ２の左部には、縦に６つの孔が形成され、その各孔にそれぞれ発光ダイオード２０が備えられる。販促表示物１２Ｃは、水平部１２Ｃ１が商品陳列棚１１の棚板上に重なるように配置する。そして、水平部１２Ｃ１に商品を載置したり、水平部１２Ｃ１をテープ貼りするなどして、販促表示物１２Ｃを商品陳列棚１１に固定する。
【００１９】
図２（ｄ）には販促表示物１２Ｄを示す。販促表示物１２ＤはスイングＰＯＰと呼ばれ、商品陳列棚１１の棚板の前面に貼り付けられる。販促表示物１２Ｄは円形の表示部１２Ｄ１と、それに連続して形成される連結部１２Ｄ２、そして、連結部１２Ｄ２に連続して設けられる取付部１２Ｄ３とからなる。表示部１２Ｄ１の下部には５つの孔が形成され、その各孔にそれぞれ発光ダイオード２０が備えられる。連結部１２Ｄ２は可撓性ある材料（フィルムなど）で形成され、微風などによって表示部１２Ｄ１が揺れる（スイングする）ように構成される。取付部１２Ｄ３は両面テープなどを介して商品陳列棚１１の棚板の前面などに固定される。
【００２０】
図２（ｅ）には販促表示物１２Ｅを示す。販促表示物１２Ｅは仕切りＰＯＰと呼ばれ、商品陳列棚１１の棚板上に載置され、商品を種類ごとに仕切るためのものである。販促表示物１２Ｅは、水平部１２Ｅ１と、これに連続して直角に設けられる側部１２Ｅ２と、側部１２Ｅ２の前端に連続して形成される表示部１２Ｅ３とからなる。表示部１２Ｅ３の上部には、縦に３つの孔が形成され、その各孔にそれぞれ発光ダイオード２０が備えられる。販促表示物１２Ｅは、水平部１２Ｅ１が商品陳列棚１１の棚板上に重なるように配置する。そして、水平部１２Ｅ１に商品を載置したり、水平部１２Ｅ１をテープ貼りするなどして、販促表示物１２Ｅを商品陳列棚１１に固定する。
【００２１】
図２（ｆ）には販促表示物１２Ｆを示す。販促表示物１２ＦはハンガーＰＯＰと呼ばれ、商品陳列棚１１の側部のフックに紐１２Ｆ１を掛けて吊り下げる。販促表示物１２Ｆは矩形の板状に形成され、上部の左右に、それぞれ横方向に３つの孔が形成され、その各孔にそれぞれ発光ダイオード２０が備えられる。発光ダイオード２０よりも下方には、鉄棒のフック１２Ｆ３が２つ突設され、このフック１２Ｆ３に商品ＰＦを複数引っ掛けて吊るす。
【００２２】
これら販促表示物１２Ａ，１２Ｂ，１２Ｃ，１２Ｄ，１２Ｅ，１２Ｆは、板紙、紙を主体とした複合シート、プラスチックシートなどで形成される。特に、販促表示物１２Ａ，１２Ｃ，１２Ｅは、折曲性に優れた材料で形成される。また、販促表示物１２Ｄは、可撓性にすぐれた材料で形成される。さらに、販促表示物１２Ｆは、厚紙など、商品を複数つり下げたときにフックを支持することができる材料で形成される。また、販促表示物１２Ａ，１２Ｂ，１２Ｃ，１２Ｄ，１２Ｅ，１２Ｆには、印刷が適宜施される。
【００２３】
図３，４を用いて、商品陳列棚１１とソーラーパネル１３についてさらに詳しく説明する。商品陳列棚１１は、最下段に位置する下部棚板２１と、その下部棚板２１から上方に向けて起立して設けられた主柱２２，２２と、主柱２２，２２の中間部分に取り付けられた中間棚板２３Ａ、さらに、主柱２２，２２の上端近傍に取り付けられた上部棚板２３Ｂ、下部棚板２１の下側に取り付けられたキャスター（車輪）１０、主柱２２，２２間で、かつ、商品陳列棚１１の後面側に略全面に取り付けられた金属製の格子２７などで構成される。なお、符号２４は、商品の落下防止のための防止柵である。商品陳列棚１１の上には、ソーラーパネル１３を備える（図３中ではソーラーパネル１３は水平に配置されている）。ソーラーパネル１３の両端には制御部ケース１５，１５を取り付ける。制御部ケース１５の下には、支持フレーム１４，１４の上端を取り付ける。支持フレーム１４の下端には、取付手段１４Ａを備え、この取付手段１４Ａを介してソーラーパネル１３が商品陳列棚１１の上部に取り付けられている。
【００２４】
制御部ケース１５の下端には一対のブラケット１５Ａ，１５Ａが一体に形成されている。ブラケット１５Ａは略三角形板状に形成され、その下部には貫通孔が形成されている。一方、支持フレーム１４は調節部１４Ｃを境として、上部フレーム１４Ｄと下部フレーム１４Ｅとに分割されている。上部フレーム１４Ｄと下部フレーム１４Ｅとはいずれも金属製で角筒状に形成され、下部フレーム１４Ｅ内に上部フレーム１４Ｄがスライド自在となるように形成される。調節部１４Ｃは樹脂製で、下部フレーム１４Ｅの上端に嵌めつけるようにして固設される。調節部１４Ｃには調節ツマミＨ２を回転自在に保持し、この調節ツマミＨ２をネジ締めることで、上部フレーム１４Ｄの位置を固定することができる（したがって、下部フレーム１４Ｅの、調節ツマミＨ２が入り込む部分には貫通孔が形成されている）。
【００２５】
上部フレーム１４Ｄの上端には連結部１４Ｂを固設する。連結部１４Ｂは樹脂製で、下端部を上部フレーム１４Ｄの上端に嵌めつける。一方、連結部１４Ｂの上部は幅狭で、かつ、貫通孔が形成されている。そして、連結部１４Ｂの上部を一対のブラケット１５Ａ，１５Ａの間に配置し、固定ツマミＨ１Ａ，Ｈ１Ｂをブラケット１５Ａの貫通孔および、連結部１４Ｂの貫通孔に貫通させ、固定ツマミＨ１Ａを固定ツマミＨ１Ｂにネジ付けて固定する。なお、下部フレーム１４Ｅの下部には、支持部１４Ｆを嵌めつける。支持部１４Ｆは樹脂製の短い角筒で下部フレーム１４Ｅの表面上に設けられる。支持部１４Ｆは、下部フレーム１４Ｅの下端よりもやや上側に嵌めつけられる。なお、下部フレーム１４Ｅの下端部には貫通孔が形成されている。
【００２６】
下部フレーム１４Ｅの下部は、取付手段１４Ａに移動自在に取り付けられる。取付手段１４Ａは樹脂製で、所定の間隔を隔てて配置される逆Ｌ字状の一対の板片１４Ａ２，１４Ａ２と、それらを連結する矩形の板状の連結部１４Ａ３とを一体に形成してなる。板片１４Ａ２，１４Ａ２の上部にはそれぞれ水平方向に向けて長孔１４Ａ１が形成される。また、一方の板片１４Ａ２の下部には貫通孔が形成され、固定ツマミＨ４がネジ付けられる。
【００２７】
長孔１４Ａ１と下部フレーム１４Ｅの下端部の貫通孔とを合わせ、固定ツマミＨ３のネジ部を貫通させて下部フレーム１４Ｅを取付手段１４Ａに移動自在に取り付ける（固定ツマミＨ３のネジ部分は長孔１４Ａ１中を移動自在である）。なお、このとき、支持部１４Ｆの下端は取付手段１４Ａの板片１４Ａ２の上端に沿って摺動可能に配置される。この支持部１４Ｆは、取付手段１４Ａに当接することで下部フレーム１４Ｅが直立を維持することを補助するためのものである。また、固定ツマミＨ４は取付手段１４Ａを商品陳列棚１１に固定するためのものである。すなわち、取付手段１４Ａをフレーム２３Ｂ１の一部を上から挟み込むようにして載置した後、固定ツマミＨ４を締め付けて、取付手段１４Ａを上部棚板２３Ｂに固定する。なお、フレーム２３Ｂ１は上部棚板２３Ｂの背面側にある。このようにして、取付手段１４Ａを介して、ソーラーパネル１３を商品陳列棚１１に取り付ける。なお、支持フレーム１４は左右対称に形成されている。
【００２８】
制御部ケース１５には、制御部１５Ｃが内蔵されている。制御部１５Ｃは、発光ダイオード２０の点滅間隔（点滅間隔を０に設定して点灯とすることもできる）や点滅パターンなどを制御するものであり、設定を自在に変更することができる。制御部１５ＣからはコードＣが延びており、このコードＣは、上部フレーム１４Ｄ、下部フレーム１４Ｅ内を通って、下部フレーム１４Ｅの下部に形成された貫通孔（この位置には、支持部１４Ｆがあり、したがって、支持部１４Ｆにも同様の貫通孔が形成される）から外に伸び、後述する分配器２５に入力されている。なお、コードＣ内には後述する所定の本数の銅線が配置されている。
【００２９】
なお、ソーラーパネル１３は、左右の固定ツマミＨ１，Ｈ１を緩めることでａ方向またはｂ方向（図４（ａ））に傾きを自在に変更できる。したがって、光源Ｌに対して最適な傾きを選択することができる。また、支持フレーム１４は固定ツマミＨ２を緩めることで上下方向（ｃ方向またはｄ方向）に伸縮自在である。したがって、商品陳列棚１１を設置する周囲の状況に応じてソーラーパネル１３の高さを調節することができる。さらに、支持フレーム１４は、取付手段１４Ａによって、商品陳列棚１１から分離することができる。
【００３０】
図５に示すように、商品陳列棚１１の後面側には、電気を分配する分配器（分配手段）２５を３つ備える（分配器２５の数はこれに限定されるものではない）。分配器２５には左右両端に貫通孔２５Ａ，２５Ａをそれぞれ備え、その貫通孔２５Ａ，２５Ａに固定バンド２８をそれぞれ通して、格子２７の１つの縦棒に巻き留める。このようにして、分配器２５を格子２７に固定する。分配器２５は、制御部１５Ｃを介して届いたソーラーパネル１３からの電力を複数の系統に分配するものである。分配器２５には、それぞれ４つの出力端子があり、ここに適宜ケーブル線を差し込むことができるようになっている。なお、ケーブル線２６Ａは販促表示物１２Ａの発光ダイオード２０に接続するためのものであり、同様に、ケーブル線２６Ｂ，２６Ｃ，２６Ｄ，２６Ｅ，２６Ｆはそれぞれ、販促表示物１２Ｂ，１２Ｃ，１２Ｄ，１２Ｅ，１２Ｆの発光ダイオード２０に接続するためのものである。
【００３１】
例えば、販促表示物１２Ｃでは、ケーブル線２６Ｃの端部に６つの発光ダイオード２０が並列に連結されている。仮に、販促表示物１２Ａ〜１２Ｆの中で、販促表示物１２Ｃに備える発光ダイオード２０の数が最も多いとすると、コードＣの中には６つの発光ダイオード２０を点滅させるのに必要な７本の銅線が配置されることになる（この７本の銅線の内訳は、６本の陽極線と１本の陰極線である）。制御部１５Ｃは、６つの発光ダイオード２０がそれぞれ所定の時間差をもって発光するように６本の陽極線に電流を送り出す（なお、陰極線は６つの発光ダイオード２０に共有される）。分配器２５では、この６系統の陽極線を各ケーブル線に分配する。このとき、販促表示物１２Ｃには６つの発光ダイオード２０を備えるので、この６系統の陽極線全てを６つの発光ダイオード２０にあてがうことになる（すなわち、６系統の陽極線と１本の陰極線をケーブル線２６Ｃに割り当てる）。一方、例えば、販促表示物１２Ｂには１つの発光ダイオード２０しか備えていないので、６系統の陽極線のうち、1系統だけを用いることになる（すなわち、１系統の陽極線と１本の陰極線をケーブル線２６Ｂに割り当てる）。このように、制御部１５Ｃから分配器２５までの間には６系統の電流が流れている一方、分配器２５の下流側、すなわち、各ケーブル線２６Ａ〜２６Ｆには必要な系統数の電流のみが流れるように構成されている。
【００３２】
なお、商品陳列装置１の底部にはキャスター１０を備えるので、店内を自在に移動することができる。この際、電源は、ソーラーパネル１３を用いるので、従来のように、コンセントにコードを差して電源を確保する必要がない。したがって、商品陳列装置１を場所的な規制なく、所望の位置に移動させることができる。ソーラーパネル１３は、店内の照明を光源として発電することができるし、商品陳列装置１を店頭に配置して太陽光を光源とすることもできる。このソーラーパネル１３は、固定ツマミＨ１を緩めることで傾斜角度を変更することができるし、固定ツマミＨ２を緩めることで高さを調節することができるため、商品陳列装置１の配置状況や光源の位置に応じて、ソーラーパネル１３を最適な位置に配置することができる。また、商品陳列装置１を店内に配置する場合には、店内の照明を切ると、ソーラーパネル１３が発電することができなくなる。したがって、商品陳列装置１にスイッチを設けて発光ダイオード２０への電源を遮断する必要がなく、電源の切り忘れなどを回避することができる。
【００３３】
このように、この例の商品陳列装置１では、販促表示物１２Ａ，１２Ｂ，１２Ｃ，１２Ｄ，１２Ｅ，１２Ｆのそれぞれに電池やバッテリーを備えるものではないので、電池が加熱して販促表示物１２Ａ〜１２Ｆを燃やすなどの危険がない。また、電池を交換する必要もなく、手間とコストを削減することができる。また、販促表示物１２Ａ〜１２Ｆの電球として発光ダイオード２０を用いているので、消費電力が少なく省エネルギーであるばかりか、発熱量も少ないので、発火の可能性も低く安全である。このように、商品陳列装置１では、ソーラーパネル１３を用いたり、発光ダイオード２０を用いたりしていることから、消費者に対する環境意識の啓発にも役立つ。
【００３４】
なお、商品陳列装置は、図６に示すように、ソーラーパネル１３と制御部１５Ｃとの間にバッテリーＢＴを備えるようにしてもよい。このバッテリーＢＴとしてはコンデンサを用いることもできる。バッテリーＢＴを配置すると、照度の足りない店内であっても、必要量の電力を確保することができる。なお、バッテリーＢＴは、商品陳列装置１に適宜配置するものとする。
【００３５】
さらに、発光ダイオード２０に代えて、モータを取り付けてもよい。例えば、販促表示物（スイングＰＯＰ）１２Ｄの表示部１２Ｄ１にモータを取り付けて、表示部１２Ｄ１をモータによってスイングさせるように構成してもよい。モータの電源にも、ケーブル線２６Ｄを用いるものとする。
【００３６】
また、上述の例では、ソーラーパネル１３を商品陳列棚１１の上方に配置したが、この発明はこれに限定されるものではなく、支持フレームを介して商品陳列棚１１の後方に配置するようにしてもよい。さらに、支持フレームを介して商品陳列棚１１の側方に配置するようにしてもよい。
【符号の説明】
【００３７】
１  商品陳列装置
１０  キャスター
１１  商品陳列棚
１２Ａ，１２Ｂ，１２Ｃ，１２Ｄ，１２Ｅ，１２Ｆ  販促表示物
１３  ソーラーパネル
１４  支持フレーム
１５Ｃ  制御部
２０  発光ダイオード（電気部）
２５  分配器（分配手段）
２６Ａ，２６Ｂ，２６Ｃ，２６Ｄ，２６Ｅ，２６Ｆ  ケーブル線
【図１】
0005598187.tif 000002
【図２】
0005598187.tif 000003
【図３】
0005598187.tif 000004
【図４】
0005598187.tif 000005
【図５】
0005598187.tif 000006
【図６】
0005598187.tif 000007